(57)【特許請求の範囲】
【請求項１】
容器首部のための閉鎖具であって、
容器首部に固定される本体を含む第１部分と、前記本体に、解除可能に係合できるキャップを含む第２部分とを備え、
前記キャップは、閉鎖具シール支持部上の閉鎖具シールを含み、前記キャップが、閉鎖状態にある前記閉鎖具内の前記本体と係合する際、前記閉鎖具シールは、前記本体に対してシールを行うものであり、
前記閉鎖具シール支持部は、第１プラスチック材料により形成され、前記閉鎖具シールは、前記第１プラスチック材料よりもコンプライアントな第２プラスチック材料により形成され、前記閉鎖具シールは、前記閉鎖具シール支持部と一体的に形成され、
前記キャップは、内側部分と外側部分とを備え、
前記外側部分は、第１位置から第２位置へ前記内側部分に対して相対的に第１方向に回動可能であり、前記第１位置では、前記外側部分の部位が前記本体の部位に直ちに隣接し、前記第２位置では、前記外側部分の前記部位と前記本体の前記部位との間に隙間があり、
前記キャップは、更に、前記外側部分を前記第２位置に不可逆的にロックするロック装備を含み、
前記内側部分は内側ラチェット構成部を備え、前記閉鎖具シール支持部は、前記内側ラチェット構成部の一部をなす閉鎖具。
【請求項２】
前記第２プラスチック材料は、シリコン又は熱可塑性エラストマ樹脂である請求項１記載の閉鎖具。
【請求項３】
前記内側部分は、前記外側部分が前記第１方向と反対向きの第２方向に前記内側部分に対して相対的に回動すると、破断する脆弱線を含む請求項１記載の閉鎖具。
【請求項４】
前記脆弱線は、前記内側部分の壁厚が減縮された線により形成される請求項３記載の閉鎖具。
【請求項５】
前記閉鎖具は、更に、逆止具を備える請求項１記載の閉鎖具。
【請求項６】
前記キャップは、更にシェルと、指示装備とを備え、前記指示装備は、前記隙間を閉鎖すべく、前記キャップに印加された軸方向力に応答して、前記シェルの側壁に視認可能なマークを設けるべく構成される請求項１記載の閉鎖具。
【請求項７】
請求項１記載の閉鎖具を形成する方法であって、前記閉鎖具シール支持部及び前記閉鎖具シールを二重射出成形（ｂｉ−ｉｎｊｅｃｔｉｏｎ  ｍｏｕｌｄｉｎｇ）するステップを備える方法。
【請求項８】
請求項１から６のいずれかに記載の閉鎖具が設けられた容器首部を備える容器。
【発明の詳細な説明】
【技術分野】
【０００１】
本発明は、およそ容器のための閉鎖具に係り、更に詳しくは、閉鎖具が、既に少なくとも一度開かれたことを指示する手段を備えた閉鎖具に関するものである。
【背景技術】
【０００２】
容器が元とは異なる内容物により、再充填されたものではないことを保証する、開封立証を指示するシステムへの需要が増加している。ある形式の開封立証を作るのは、比較的容易ではある。しかしながら、克服され得ない開封立証システムを提供することは、遙かに困難であり、これは、開封立証システムを活性化させることなしにか、或いは、活性化させはするが、仮想視覚的にあたかも活性化されていないと同一視できる状態に見えるべく復帰することによる。
【０００３】
開封立証を提供する特に有益な方法は、次のシステムを使用することである。即ち、右システムでは、閉鎖具は、初期段階で第１位置にあるが、一旦取り外されると、第１位置とは視覚的に全く異なる第２位置にのみ復帰できることとなる。
【０００４】
米国特許第５，７３８，２３１号は、次の閉鎖具を開示する。このものは、開封プロセス中移動する部分を備え、それにより、後続する開封時において、容器仕上げ上の突起へ復帰することができなくなるというものである。結果として、閉鎖具は、その元の位置から軸方向に移された位置にのみ戻り得るということになる。
【０００５】
国際公開第０２／０９６７７１号公報は、次の閉鎖具を開示する。即ち、内部において二つの部品群が初期状態で互いに隣接する閉鎖具であって、開封プロセス中に、該閉鎖具の構造が変化し、それにより、これら二つの部品群間に隙間が生成され、右隙間は、該閉鎖具が少なくとも一度開かれたことを視覚的に指示するものとなる。
【０００６】
また、国際公開第２００５／０４９４４３号公報及び国際公開第２００６／１１７５０５号公報は、以前少なくとも一度開かれたことがあることを指示する隙間を生成する閉鎖具について記述する。この場合、隙間が塞がれない。言いかえれば、塞ぐ必要がなければ、該閉鎖具の２つの部品群は、離れたまま保持されるものである。
【０００７】
このような開封立証システムは、それが反転され得ない場合にのみ、有効である。例えば、２つの部分群を離れたまま保持すべく、邪魔部材を使用するシステムでは、隙間を閉鎖可能とすべく邪魔物を切断することが可能である。国際公開第２００５／０４９４４３号公報及び国際公開第２００６／１１７５０５号公報は、閉鎖具群であって、一部分が他に対して相対的に回動するのにつれて、邪魔隙間群を生成するものを開示する。該閉鎖具群には、ある内部機構が設けられ、右機構は、該２つの部分群がそれらの元の相対的位置に回動して戻ることを防止する。例えば、該部品群の側壁群上に位置するラチェット装備群が、望まれない回動を防止するために使用され得る。しかしながら、そのような「側面（ｌａｔｅｒａｌ）」ラチェット装備群は、十分な逆向き回動トルクが印加されると、負かされ得ることが分かっている。
【０００８】
かかる隙間を形成する閉鎖具により提供される開封立証への打破に対する、抵抗レベルの増加が必要である。かかる打破は、隙間が生成される、前に、及び／又は、後で、隙間の形成を妨げたり、及び／又は、隙間を閉鎖するために、行われる。
【０００９】
国際公開第２０１３／１１３４３５号公報は、容器のための開封立証閉鎖具を開示し、このものは、内側部分と外側部分とを含む第１部分と、第２部分とを備える。第１部分の該外側部分は、第１位置から第２位置へ、内側部分に対して相対的に回動可能であり、第１位置では、第１部分及び第２部分とが少なくとも部分的に互いに隣接し、第２位置では、これらの部分群間に隙間を生ずる。第１部分は、第２位置にある閉鎖具を不可逆的にロックするロック手段を備える。右ロックは、初回の開封がなされると、隙間が閉鎖不能となるように行われる。また、内側部分は、外側部分が内側部分に対し相対的に逆方向に回動されると、破断する脆弱線を含む。閉鎖具の初回の開封中に生成される隙間は、該閉鎖具が少なくとも一度開かれたことがあることを指示する。閉鎖具を逆に開こうという試みがなされると、内側部分の脆弱線が破断し、その後、閉鎖具を正常に操作することは不可能となる。加えて、該閉鎖具は、上側シェル部分と下側シェル部分とを含んでも良く、該部分群は、初期状態において、次のいずれかの場合に、破壊する複数の脆弱ブリッジ群による、スリットラインに沿って結合されている。即ち、
ｉ）初期開封前に下側シェル部分が回動するか、又は、
ｉｉ）ねじを緩めずに、閉鎖具の頂部を引く試みがなされる場合がそうである。
【００１０】
国際公開第２００９／０１０７１７号公報は、容器のための開封立証閉鎖具を開示し、このものは、内側部分と外側部分とを含む第１部分と、第２部分とを備える。これらの部分群は、第１部分と第２部分とに分離可能なシェル内に設けられている。外側部分は、第１位置から第２位置へと相対的に移動可能であり、第１位置では、第１シェル部分と第２シェル部分とが互いに隣接し、第２位置では、これらの部分群間に隙間が生ずる。閉鎖具は、第２位置にある閉鎖具をロックするロック手段を備え、初回の開封時に、ロックすることにより、隙間が容易に閉鎖できなくなり、該閉鎖具は、更に、ロック手段が、隙間を閉鎖するため無効にされると、シェル上に視認できる指示を設ける指示手段を備える。
【００１１】
該指示手段は、隙間を閉鎖するためロック手段を次の軸方向についての無効化を活性化すべく、適合され得る。例えば、十分な力が閉鎖具の頂部に印加されると、ロック手段は（おそらく破断により）無効化され得るものであり、内側部分と外側部分とは、相対的な軸方向の動きにより、隙間を閉鎖すべく第１位置へ復帰され得るものである。この場合、指示手段は、該閉鎖具が既に開封されたことを指示すべく、シェルの頂部をマークするよう活性化され得るものである。右指示は、隙間が存在しなくても同様である。
【特許文献１】国際公開第０２／０９６７７１号公報
【特許文献２】国際公開第２００５／０４９４４３号公報
【特許文献３】国際公開第２００６／１１７５０５号公報
【特許文献４】国際公開第２０１３／１１３４３５号公報
【特許文献５】国際公開第２００９／０１０７１７号公報
【特許文献６】米国特許第５，７３８，２３１号公報
【発明の開示】
【発明が解決しようとする課題】
【００１２】
本発明は、容器首部のための閉鎖具に関する、更なる改良を提供することを目的とする。
【課題を解決するための手段】
【００１３】
第１の発明では、容器首部のための閉鎖具であって、容器首部に固定される本体を含む第１部分と、前記本体に、解除可能に係合できるキャップを含む第２部分とを備え、前記キャップは、閉鎖具シール支持部上の閉鎖具シールを含み、前記キャップが、閉鎖状態にある前記閉鎖具内の前記本体と係合する際、前記閉鎖具シールは、前記本体に対してシールを行うものであり、前記閉鎖具シール支持部は、第１プラスチック材料により形成され、前記閉鎖具シールは、前記第１プラスチック材料よりもコンプライアントな第２プラスチック材料により形成され、前記閉鎖具シールは、前記閉鎖具シール支持部と一体的に形成されることを特徴とする閉鎖具が提供される。
【００１４】
前記第２プラスチック材料は、シリコン又は熱可塑性エラストマ樹脂であって良い。
【００１５】
一例では、前記キャップは、内側部分と外側部分とを備え、前記外側部分は、第１位置から第２位置へ前記内側部分に対して相対的に第１方向に回動可能であり、前記第１位置では、前記外側部分の部位が前記本体の部位に直ちに隣接し、前記第２位置では、前記外側部分の前記部位と前記本体の前記部位との間に隙間があり、前記キャップは、更に、前記外側部分を前記第２位置に不可逆的にロックするロック装備を含む。
【００１６】
閉鎖具シールは、キャップと一体的にモールドされても良い。キャップは、インモールドされた閉鎖具シールを備えても良い。シールは、頂部シールであって良い。
【００１７】
前記内側部分は内側ラチェット構成部を備え、前記閉鎖具シール支持部は、前記内側ラチェット構成部の一部をなしても良い。内側ラチェット構成部は、二重射出成形された頂部シールを有しても良い。
【００１８】
前記内側部分は、前記外側部分が前記第１方向と反対向きの第２方向に前記内側部分に対して相対的に回動すると、破断する脆弱線を備えても良い。
【００１９】
前記脆弱線は、前記内側部分の壁の厚みを減縮する線により形成されても良い。
【００２０】
前記キャップは、更にシェルと、指示装備とを備え、前記指示装備は、前記隙間を閉鎖すべく、前記キャップに印加された軸方向力に応答して、前記シェルの側壁に視認可能なマークを設けるべく構成されても良い。
【００２１】
他の一例では、前記キャップは、ストッパホルダを備え、且つ、前記閉鎖具シール支持部は前記ストッパホルダの一部をなす。ストッパホルダは、コルクホルダであって良い。
【００２２】
前記閉鎖具は、さらに逆止具を備えても良い。
【００２３】
第２の発明では、第１の発明に係る閉鎖具が設けられた容器首部を備える、容器が提供される。
【００２４】
第３の発明では、第１の発明に係る閉鎖具を形成する方法であって、前記閉鎖具シール支持部及び前記閉鎖具シールを二重射出成形するステップを備える方法が提供される。
【００２５】
第４の発明では、容器首部のための閉鎖具であって、容器首部に固定される本体を備える第１部分と、前記本体を容器首部上に保持する保持部材とを備え、前記本体は第１プラスチック材料により形成され、前記保持部材は、前記第１プラスチック材料とは異なる、第２プラスチック材料により形成され、前記保持部材は、前記本体と一体的に形成されることを特徴とする閉鎖具が提供される。
【００２６】
前記第２プラスチック材料は、前記第１プラスチック材料よりも熱抵抗性が高いものであって良い。
【００２７】
前記第１プラスチック材料はポリエチレンテレフタレート（ＰＥＴ）であっても良く、前記第２プラスチック材料は、強化高分子複合材料ファイバーであって良い。
【００２８】
第５の発明では、第４の発明に係る閉鎖具を形成する方法であって、前記保持部材及び前記本体を二重射出成形するステップを備える方法が提供される。
【００２９】
第６の発明では、第４の発明に係る閉鎖具が設けられた容器首部を備える容器が提供される。
【００３０】
第７の発明では、第１及び第４の発明に係る閉鎖具が提供される。
【００３１】
第８の発明では、第７の発明に係る閉鎖具を形成する方法であって、前記閉鎖具シール支持部及び前記閉鎖具シールを二重射出成形するステップと、前記保持部材及び前記本体を二重射出成形するステップを備える方法が提供される。
【００３２】
第９の発明では、第７の発明に係る閉鎖具が設けられる容器首部を備えた容器が提供される。
【００３３】
第１０の発明では、容器首部のための閉鎖具であって、容器首部に固定される本体を含む第１部分と、前記本体に、解除可能に係合できるキャップを含む第２部分とを備え、前記本体は、閉鎖具シール支持部から延出するシールを備え、前記シールは、容器首部に対してシールを行う外側シール部分と、内側シール部分とを備え、前記閉鎖具シール支持部は、第１プラスチック材料により形成され、前記シールは、前記第１プラスチック材料よりもコンプライアントな第２プラスチック材料により形成され、前記シールは、前記閉鎖具シール支持部と一体的に形成されることを特徴とする閉鎖具が提供される。
【００３４】
前記第１部分は、更に、逆止弁本体と、逆止弁部材と、逆止弁部材シールドとを備えても良い。
【００３５】
前記内側シール部分は、前記逆止弁の壁から半径方向外側に延出し、前記外側シール部分は、前記逆止弁本体から半径方向外側に延出し、前記逆止弁シールドは、前記内側シール部分に対してシールを行っても良い。
【００３６】
前記キャップは、内側部分と外側部分とを備え、前記外側部分は、第１位置から第２位置へ前記内側部分に対して相対的に第１方向に回動可能であり、前記第１位置では、前記外側部分の部位が前記本体の部位に直ちに隣接し、前記第２位置では、前記外側部分の前記部位と前記本体の前記部位との間に隙間があり、前記キャップは、更に、前記外側部分を前記第２位置に不可逆的にロックするロック装備を含み、前記キャップは、更にシェルと、指示装備とを備え、前記指示装備は、前記隙間を閉鎖すべく、前記キャップに印加された軸方向力に応答して、前記シェルの側壁に視認可能なマークを設けるべく構成されても良い。
【００３７】
第１１の発明では、第１０の発明に係る閉鎖具を形成する方法であって、前記シール支持部及び前記シールを二重射出成形するステップを含む方法が提供される。
【００３８】
第１２の発明では、第１０の発明に係る閉鎖具が設けられた容器首部を備える、容器が提供される。
【００３９】
第１３の発明では、容器首部のための閉鎖具であって、容器首部に固定される本体を含む第１部分と、前記本体に、解除可能に係合できるキャップを含む第２部分とを備え、前記第１部分はフロートを備え、前記フロートは、シール支持部上のシールを備え、前記閉鎖具シール支持部は、第１プラスチック材料により形成され、前記シールは、前記第１プラスチック材料よりもコンプライアントな第２プラスチック材料により形成され、前記シールは、前記シール支持部と一体的に形成されることを特徴とする閉鎖具が提供される。
【００４０】
第１４の発明では、第１３の発明に係る閉鎖具を形成する方法であって、前記シール支持部及び前記シールを二重射出成形するステップを含む方法が提供される。
【００４１】
第１５の発明では、第１３の発明に係る閉鎖具を備える容器首部を備える容器が提供される。
【００４２】
第１６の発明では、容器首部のための閉鎖具であって、容器首部に固定される本体を含む第１部分と、前記本体に、解除可能に係合できるキャップを含む第２部分とを備え、前記キャップは、内側部分と外側部分とを備え、前記外側部分は、第１位置から第２位置へ前記内側部分に対して相対的に第１方向に回動可能であり、前記第１位置では、前記外側部分の部位が前記本体の部位に直ちに隣接し、前記第２位置では、前記外側部分の前記部位と前記本体の前記部位との間に隙間があり、前記キャップは、更に、前記外側部分を前記第２位置に不可逆的にロックするロック装備を含み、前記キャップは、更にシェルと、指示装備とを備え、前記指示装備は、前記隙間を閉鎖すべく、前記キャップに印加された軸方向力に応答して、前記シェルの側壁に視認可能なマークを設けるべく構成されることを特徴とする閉鎖具が提供される。
【００４３】
前記指示装備は、更に、前記隙間を閉鎖すべく、前記キャップに印加された軸方向力に応答して、前記シェルの頂部壁に視認可能なマークを設けるべく構成されても良い。
【００４４】
第１７の発明では、第１６の発明に係る閉鎖具が設けられた容器首部を備える、容器が提供される。
【００４５】
このように、本発明は二重射出成形の設計による閉鎖具に関する。
【００４６】
本発明は、閉鎖具のストッパ又はコルク類がどのようにシールされるかという点に関し得る。シールは、ストッパ又はコルクホルダ上に設けられ得る。二重射出成形されたシールが主シールとなっても良く、また、該ストッパ又はコルクは、製品が開かれたときにただ音を発する又はポンとなるためだけに存在しても良い。閉鎖具は、（自然材料又は合成材料により形成され得る）ストッパ又はコルクを備えても良い。
【００４７】
閉鎖具は、シェル（例えば、一般に管状のメタルシェル）を備えても良い。シェルは、初回の開封時に、二つの部品群（例えば、除去可能な頂部キャップと、容器首部に残る下側スリーブと）に、分割され得る。二つの部品群は、初期状態で互いに直に隣接しても良いが、初回の開封時には、それらの間に隙間が形成され得るものである。隙間は、塞がれなくとも良い。
【００４８】
第１部分は、注ぎ口部分であって良い。第１部分は、例えば、スナップオン装備又はロールオン装備により、ボトル首部上に締め付けられ得る。
【００４９】
第２部分は、内側部分及び外側部分を備えて良く、また、内側部分は、シールを備えても良い。シールは、頂部シールであって良い。シールは、内側部分と共に、二重射出成形され得る。
【００５０】
内側部分は、閉鎖具が攻撃されると破断する脆弱線を含んでいても良い。破断は、例えば、外側部分が内側部分に対して相対的に逆に回動した場合に行われる。脆弱線は、複数の脆弱ブリッジ群から成っても良い。脆弱線は、内側部分を横方向に分割しても良い。
【００５１】
内側部分、及び／又は、外側部分は、頂部プレートとロック装備の部分を含んでいても良い。該装備は、該又は各頂部プレート上で、又は、により隙間が閉鎖されることを防止するものである。
【００５２】
ロック装備は、ラチェット装備を含んで良い。
【００５３】
内側部分及び外側部分は、それぞれの頂部プレートを持ち得るものであり、該頂部プレートは、内側部分と外側部分の相対的な回動を防止すべく係合する、対応するラチェット部群を含む。この種のラチェット装備は、側壁に置かれる公知の側面装備とは反対に、長手方向ラチェット装備と呼ばれるものであって良い。
【００５４】
第１部分は、容器に接続されるのに適していても良く、また、第２部分は、キャップを備えても良い。ある産業（例えば、スピリッツ業）は、第２部分を備えた閉鎖具を求めるものであり、第２部分は、キャップと、容器に接続されるスリープを含む第１部分とを備える。
【００５５】
閉鎖具は、さらに逆止具のような備品を備えても良い。
【００５６】
これに代えて、第１部分は、容器に関する備品と係合するのに適しても良い。ある産業（特にスピリッツ業）は、偽造を防ぐための追加的手段を要求する。逆止備品群のようなインボア備品群は、他の偽造立証手段群の有無を問わず、再充填を防止するために、しばしば容器群に嵌合される。
【００５７】
閉鎖具は、第２位置に到着するまで、内側部分が第２部分に対して相対的に移動するのを防止する装備を含んでいても良い。
【００５８】
隙間は、塞がれなくても良い。この点は、閉鎖具は、トラップされる邪魔部材に頼る必要がないということを意味する。塞がれない隙間形成に依存すると、単純な切断操作による偽造証拠を破ることはできない。隙間は、第１部分と第２部分のそれぞれの隣接周辺部群に形成され得る。内側部分は、第２位置において、第１部分へ向けて外側部分を超えて延出する区域を有しても良く、該区域は、隙間を介して視認できるように配設され得る。
【００５９】
第１部分は、容器上の位置に、永続的に固定されても良い。このものは、隙間を塞ぐべく第１部分が動かされることを防止するために使用可能である。
【００６０】
第２部分は、さらに側面ラチェット装備であって、第２位置内に、内側部分及び外側部分をロックするものを含んでも良い。このものは、再セッティングに対する更なる抵抗性を提供する。
【００６１】
第２部分は、係合機構群を含んでも良く、また、側面ラチェット装備が、該機構群上に装備されても良い。第２部分は、容器又はインボア備品と係合する、ねじ山群のような機構を含んでも良い。そのような場合、ラチェット装備又は他のロック機構が、該機構群上に装備されても良く、それにより、該ロック装備を用いて、アクセス及び偽造の困難性が増加するものである。
【００６２】
本発明は、また、偽造を指示するべく、側面マーク機構を備えた閉鎖具に関するものである。
【００６３】
各追加請求項群により定義される発明の保護範囲を逸脱しない状態において、本発明の異なる態様群及び実施の形態群は、分離された状態で、或いは、共に使用され得るものである。
【発明を実施するための最良の形態】
【００６４】
例示的な実施の形態群は、当業者が、装置、システム群及びプロセス群を構成し、実装するために十分な程度、以下ここに既述されるものである。次の点が理解されるのは重要である。即ち、多くの代替形式群において、本発明の実施の形態群は提供可能であって、本発明は、ここにおける例群に対して制限的に構成されるものではなく、各追加請求項群の保護範囲によるものである。
【００６５】
図１〜図８を参照しながら、容器首部のための従来の閉鎖具を記述する。概ね閉鎖具は、容器首部に固定される本体を備える部分と、本体に解除可能に係合し得るキャップを備える部分とを有する。キャップを備える部分は、内側部分及び外側部分を有する。また閉鎖具の初回開封時に、外側部分は、内側部分に対して相対的に回動可能である。図示された実施の形態では、外側部分は、第１方向について第１位置から第２位置へ内側部分に対して相対的に回動可能である。第１位置では、外側部分の部位が本体の部位に直ちに隣接し、第２位置では、外側部分の部位と本体の部位との間に隙間がある。キャップを備える部分は、更に、外側部分を第２位置に不可逆的にロックするロック装備を含む。従来の閉鎖具における、初回開封時における隙間の生成は、閉鎖具が以前（少なくとも一度）開かれたことがあることを示す。
図１〜図８の従来の閉鎖具は、さらに、開封立証の特徴を含み、右特徴は、隙間を形成する開封立証システムを活性化することを避けるべく、開封における通常の方向とは反対の方向に外側部分を回動することにより、閉鎖具を開封する試みがなされると、活性化するものである。
【００６６】
まず、図１及び図２に示すように、従来の閉鎖具が、概略符号１０を以て示されている。図１では、閉鎖具１０は、容器首部１５上に締め付けられた状態で示される。構造と装備は、国際公開第２００９／０１０７２２号公報の記述と同様である。
【００６７】
閉鎖具１０は、メインの注ぎ口本体２０、内側部分２５及び外側部分３０を備える。メタルシェル３５は、閉鎖具への外側ケーシングを形成し、円筒状の下側部分３６及びカップ状の第２部分３７に分割される。本体２０及びシェル部分３６は、ともに第２部分と内側部分２５、外側部分３０、更に、シェル部分３７は、キャップ様の第１部分を備える。
【００６８】
上側部分３６及び下側部分３７は、分離線４０において分離されるものであり、該分離線は、シェル３５が閉鎖具１０の第１部分及び第２部分に一旦適用されると、切断プロセスにより形成される。
【００６９】
上側シェル部分３６と下側シェル部分３７とは、初期状態において、次のいずれかの場合に、破壊する複数の脆弱ブリッジ群による、スリットライン４０に沿って結合されている。即ち、
ｉ）初期開封前に下側シェル部分が回動するか、又は、
ｉｉ）ねじを緩めずに、閉鎖具の頂部を引く試みがなされる場合がそうである。
【００７０】
閉鎖具１０の内側部分２５は、スリットライン４０及び外側部分３０の開口端を超えて延出し、ドッグレッグ状の端子部分９０を設け、該端子部分は、主本体２０の肩部２０ａ上に載置され、しかして、端子部分９０の一方の半分９２は、下側シェル部分３６の上側端部の下に嵌入し、端子部分の他方の半分９４は、上側シェル部分３７内に嵌入する。シェルの分離線４０の上方には、図示しない複数の脆弱ブリッジ群が内側部分２５内において形成されており、分離線８５が形成される。
【００７１】
内側部分２５もまた脆弱線２６を有し、該線は、複数の脆弱ブリッジ群２７により形成される、側面スカートに沿って、約半分ほど設けられている。このものは、内側部分２５を、第１部分２８と第２部分２９とに分割する。
【００７２】
内側に突出して、容器首部１５の肩部５０の下に係合するクリップ４５により、本体２０は、容器首部１５上に固定される。
【００７３】
弁ハウジング５５は、本体２０内へクリップされ、シーリングリップ５７を含む。該リップは、容器首部１５の頂部プレート１６に対してシールを行う。フロート弁６５は、ハウジング５５内に収容され、容器への再充填を防止するために、弁シール６０に対してシールを行い得るものである。弁制御ボール７０は、フロート弁６５の頂部上に配設される。フロートとボールのコンビは、水平方向の再充填保護と、優れた振動による援助を受けた垂直方向の再充填保護とを提供する。
【００７４】
通常動作では、シェル３５の第２部分３７は、反時計回りに回動する。また、閉鎖具１０の初回開口時における、ねじを緩める動作を行うと、分離線４０上の脆弱ブリッジ群が破壊される。内側部分２５が、本体２０上に保持され続けているまま、外側部分３０は、シェル３５の第２部分３７と共に抜き取られる。ラチェットロック機構が内側部分２５に外側部分３０をロックするまで、ねじを緩める動作が、図３及び４に示される位置まで継続することになる。
【００７５】
ともにロックされた、外部部分３０及び内側部分２５を用いることにより、その後、内側部分２５は、本体２０から抜き取り可能となる。ターミナル部分９２は、シェル部分３６下に保持されるため、内側部分２５が回動すると、分離線８５に沿う破断が行われる。結果は、次のようになる。即ち、内側部分２５のターミナル部分９０が本体２０上に保持され続けることにより、半分９４が図５に示されるような視認できる直立バンドとなる。
【００７６】
キャップ（シェル部分３７、外側部分３０、内側部分２５）が、本体２０上へねじ込み戻される際、隙間Ｇが、第１シェル部分３６と第２シェル部分３７との間に形成されている。これは、ロック機構のおかげで、内側部分２５上に外側部分３０を完全にねじ込み戻すことができないからである。加えて、内側部分２５のバンド９４がシェル部分３６上に突出し、しかして、図６に示される隙間Ｇ内で視認可能となる。
【００７７】
部分群３６、３７間には、トラップされた如何なる邪魔部材も存在しないという意味において、下側シェル部分３６と上側シェル部分３７の間に形成された隙間Ｇは、塞がれない。邪魔部材の不存在が、次の問題を克服する。即ち、あたかも閉鎖具が今開かれたかのように閉鎖具を見せしめるため、隙間を閉鎖可能とすべく、邪魔部材が、役立てられ得るということである。
【００７８】
従来の閉鎖具１０において隙間を生成する特徴により、閉鎖具が以前（少なくとも一度）開かれたことがあることが、視覚的に指示される。図７及び図８では、図１及び図２の従来の閉鎖具が、逆向きの開封により、この開封立証特徴を克服する試みに続く状態が示されている。
【００７９】
上側シェル部分３７が時計回りに回動すると、内側部分第１部分２８が、内側部分第２部分２９に対して相対的に回動されることとなり、さらに、内側部分２５の脆弱線２６の脆弱ブリッジ群２７の破壊が引き起こされる。内側部分２５はライン２６に沿って分離し、上側シェル部分３７は、外側部分３０及び内側部分第１部分２８と共に、除去可能となる。言い換えると、隙間Ｇが生成される通常動作に求められる方向とは反対の方向に、従来の閉鎖具１０が故意に（又は偶然に）回動されると、内側部分２５が破断することとなり、そのため、しかる後、従来の閉鎖具１０の通常動作は、不可能となる。
【００８０】
内側部分第１部分２８上に雌ねじ山条はなく、しかして、頂部キャップは、本体２０にねじ込み戻すことが、できない。
【００８１】
隙間Ｇが生成されることの前か或いは後に、逆向きの開封が（故意に、又は、偶然に）試みられると、該破断を生じてしまう。
【００８２】
本発明の一態様では、容器首部のための閉鎖具であって、シール支持部と一体的に形成されるシールを備える閉鎖具が提供される。関連する態様では、該閉鎖具を形成する方法が提供される。他の関連する態様では、該閉鎖具が設けられた容器首部を備える容器が提供される。
【００８３】
閉鎖具を参照しながら、以下態様が記述される。該閉鎖具は、容器首部に固定される本体を含む第１部分と、本体に、解除可能に係合できるキャップを含む第２部分とを備え、閉鎖具は、第１プラスチック材料により形成される閉鎖具シール支持部と、第１プラスチック材料よりもコンプライアントな第２プラスチック材料により形成される前記シールとを備え、シールは、閉鎖具シール支持部と一体的に形成されるものである。
【００８４】
図９〜図１２を参照しながら、第１例を記述する。図９は、符号１０２により概略示される第１部分と、符号１０３により概略示される第２部分とを備える、閉鎖具１０１を示す。閉鎖具１０１は、図１〜図８の従来の閉鎖具１０に対し、いくつかの点において類似している。
【００８５】
第１部分１０２は、符号１０４により示される、本体であって、容器首部に固定されるものを備える。第２部分１０３は、符号１０５により示される、キャップであって、本体１０４に解除可能に係合可能であるものを備える。キャップ１０５は、本体１０４に対し相対的に移動可能であり、右移動は、閉鎖具１０１の閉鎖状態から、及び、閉鎖状態へのいずれも可能である。
【００８６】
キャップ１０５は、閉鎖具シール部分１０７上の閉鎖具シール１０６を備える。図９及び図１２に見られるように、閉鎖具１０１の閉鎖状態において、キャップ１０５が本体１０４に係合すると、該閉鎖具シール１０６は、本体１０４に対してシールを行う。
【００８７】
閉鎖具シール支持部１０７は、第１プラスチック材料により形成される。閉鎖具シール１０６は、第２プラスチック材料により形成される。閉鎖具シール１０６を形成する第２プラスチック材料は、閉鎖具シール支持部１０７を形成する第１プラスチック材料よりコンプライアントである。閉鎖具シール１０６のより大きなコンプライアンスは、効率的シールを提供すべく、閉鎖具シール１０６が圧縮され、及び／又は、同形となることを可能にする。
【００８８】
有利とするには、閉鎖具シール１０６は、閉鎖具支持部１０７と一体的に形成される。第１部分と第２部分との間における信頼性の高いシールが達成されるものである。第１部分は、閉鎖具が開かれると、容器首部に残存する。第２部分は、閉鎖具が開かれると、除去され、閉鎖具が再び閉じられると、再置されるものである。閉鎖具１０１を形成する方法では、閉鎖具シール支持部１０７及び閉鎖具シール１０６は、二重射出成形される。
【００８９】
本例では、閉鎖具シール１０６は頂部シールである。キャップ１０５が本体１０４に完全に係合すると、閉鎖具シール１０６は、第１部分１０２と第２部分１０３との間のシールを提供する。
【００９０】
閉鎖具１０１が容器首部上に設けられると、シールは、有利に液体形式又は蒸気形式のいずれかによる、容器内容物の漏出を防止する。更に詳しくは、シールは、容器から蒸発する内容物を防止すべく機能する。ある国から別の更に暑い地帯へのように、容器が、あるところから別のところに転送されると、内容物の気化が経験される。これは、容器群が、推薦される貯蔵状態から逸脱した状態で貯蔵されたり、特に、温度上昇が含まれる状態においては、そうである。加えて、シールは、容器から漏れる内容物を防止すべく、機能する。容器群が、荷積み、転送、及び／又は、表示のため取り扱われるとき、内容物の漏出が経験される。シールは、容器が如何なる向きにおいても、輸送され格納されることを、有益に可能とする。本発明のこの態様のシールは、容器取り扱いの改善された便宜性、及び、容器の消耗を減らすことを提供し得る。
【００９１】
第２プラスチック材料は、任意の適切な材料であって良い。一例では、閉鎖具シールを形成する第２プラスチック材料は、シリコン樹脂である。一例では、閉鎖具シールを形成する第２プラスチック材料は、熱可塑性エラストマ（ＴＰＥ）樹脂である。
【００９２】
熱可塑性エラストマは、次のグループから選ばれても良い。ＭＰＲ（溶融処理可能なゴム）、ＴＰＥ−Ａ（熱可塑性アミド系エラストマ）、ＴＰＥ−Ｅ（熱可塑性ポリエステル系エラストマ）、ＴＰＥ−Ｏ（熱可塑性オレフィン系エラストマ）、ＴＰＥ−Ｓ（スチレン系ブロック共重合体）、ＴＰＥ−Ｕ（熱可塑性ポリウレタン系樹脂エラストマ）、ＴＰＥ−Ｖ（熱可塑性加硫物）。
【００９３】
熱可塑性エラストマ樹脂（ＴＰＥ）は、その溶融温度以上において、熱可塑性特徴を示すポリマーブレンド／化合物である。該特徴は、製品に形成することを可能とし、また、その設計温度範囲内において、製作中に交差結合のないエラストマの振る舞いを有するものである。ＴＰＥ材料群は、モールドし、押し出し、プラスチックのように再利用可能であるため、リサイクル可能なポテンシャルを有する。
【００９４】
第２プラスチック材料は、強化高分子複合材料ファイバーであって良い。
【００９５】
強化高分子複合材料ファイバー群は、重合体マトリックス内に埋め込まれた高強度ファイバー（補強材）から成る組成物群である。これら材料群中のファイバーは、負荷を担持する要素群であり、強さと剛性を提供する。同時に、ポリマーマトリクス群は、ファイバー整列（位置と配向）を維持し、環境及び起こり得る損害から、それらを保護する。これら材料群の特有性（高強度、高剛性、金属に比べて低密度）は、材料を高度に望ましくする。
【００９６】
本発明による適切なファイバーは、ガラス、カーボン、アラミド、脂肪族ケブラー／半芳香族ポリアミド（ナイロン）、及び／又は、ケブラーからなる合成繊維である。適切な重合体マトリックスは、加熱可塑性物材料である。本発明の好ましい実施の形態では、強化高分子複合材料ファイバーは、ナイロン強化ポリマー、カーボン充填ポリカーボネート、及び、ガラスファイバー充填ポリカーボネートからなる群から選択される。
【００９７】
第１プラスチック材料は、任意の適切な材料であって良い。
【００９８】
一実施の形態では、第１部分の本体は、第３プラスチック材料により形成される。第３プラスチック材料は、任意の適切な材料であって良い。
【００９９】
第１プラスチック材料、及び／又は、第３プラスチック材料は、次の群から選択され得る。ポリプロピレン（ＰＰ）、ポリカーボネート（ＰＣ）、アクリロニトリルブタジエン‐スチレン共重合体（ＡＢＳ）、ポリエチレンテレフタレート（ＰＥＴ）、ポリエチレンテレフタレートグリコール修飾（ＰＥＴＧ）、標準及び修飾のナイロン６、ナイロン６／６、ナイロン６、６、６、例えば、ポリアミド樹脂からなる、コポリエステル、ポリスチレン（ＰＳ）、耐衝撃性ポリスチレン（ＨＩＰＳ）、ポリブチレンテレフタレート（ＰＢＴ）、アセタール（ＰＯＭ）、ポリフェニレンオキシド（ＰＰＯ）、ポリオキシメチレン、アクリル、或いは、上述のものの混合物／ブレンド。
【０１００】
本例では、第１部分１０２は、開いた注ぎ口備品を備える。
【０１０１】
第１例では、第２部分１０３の閉鎖具シール１０６は、第１部分１０２の本体１０４の抗滴下リップ１０８に対してシールを行うべく、配設される。
【０１０２】
図示された本例では、閉鎖具１０１のキャップ１０５は、内側部分１０９と外側部分１１０とを備える。閉鎖具の初回開封時中、外側部分１１０は、第１方向について第１位置から第２位置へ内側部分１０９に対して相対的に回動可能である。第１位置では、外側部分１１０の部位が本体１０４の部位に直ちに隣接し、第２位置では、外側部分１１０の部位と本体１０４の部位との間に隙間がある。キャップ１０５は、更に、外側部分１１０を第２位置に不可逆的にロックするロック装備を含む。ロック装備は、ラチェットロック装備を備える。キャップ１０１の内側部分１０９は、内側ラチェット構成部である。
図９〜図１２に示すように、閉鎖具１０１の閉鎖具シール支持部１０７は、内側ラチェット構成部１０９の部分である。回動の第１方向は、典型的には、反時計回りになる。
【０１０３】
特に図１０から分かるように、内側部分１０９は、第１方向とは反対の第２方向において、外側部分１１０が内側部分１０９に対して相対的に回動すると、破断する脆弱線１１１を含む。ここで、回動の第２方向は、典型的には、時計回りになる。
【０１０４】
図１〜図８の従来の閉鎖具１０では、その内側部分の脆弱線（これは「逆向きの回動」事象時に破断すべく配設される）は、複数の脆弱ブリッジ群により形成される。
【０１０５】
これに代えて、図９〜図１２の閉鎖具１０１では、脆弱線１１１は、内側部分１０９の壁１１２の厚みを減縮する線により形成される。一例では、縮減された肉厚は、ホットナイフによって形成される。代わりの一例では、縮小された肉厚は、モールディングにより形成される。
【０１０６】
図１３〜図１６を参照しながら、第２例を記述する。図１３は、閉鎖具２０１であって、符号２０２により概略示される、第１部分と、符号２０３で概略示される、第２部分とを備えるものを示す。閉鎖具２０１は、図１〜図８の従来の閉鎖具１０にいくつかの点において類似し、図９〜図１２の閉鎖具１０１にいくつかの点において類似する。図１３には、容器首部２０４が嵌合された閉鎖具２０１が示される。
【０１０７】
第２例では、第１部分２０２は、符号２０５で示される本体であって、容器首部に固定されるものを備える。第２部分２０３は、符号２０６で示されるキャップであって、本体２０５と解除可能に係合できるものを備える。キャップ２０６は、本体２０５に対し相対的に移動可能であり、右移動は、閉鎖具１０１の閉鎖状態から、及び、閉鎖状態へのいずれも可能である。
【０１０８】
キャップ２０６は、ストッパホルダ２０７を備える。ストッパホルダ２０７は、図１３及び図１４中には、ストッパ２０８を保持して示され、図１５及び図１６中には、ストッパなしで示される。一例では、ストッパ２０８は、コルクである。
【０１０９】
キャップ２０６は、閉鎖具シール部分２１０上の閉鎖具シール２０９を備える。図１３から分かるように、キャップ２０６が、閉鎖具２０１の閉鎖状態中の本体２０５に係合すると、閉鎖具シール２０９は、本体２０５とのシール接合点内にある。図１３から、閉鎖具シール２０９が、閉鎖具２０１の第１部分２０２と第２部分２０３との間のシールを提供することが分かる。
【０１１０】
閉鎖具シール支持部２１０は、第１プラスチック材料により形成され、閉鎖具シール２０９は、第１プラスチック材料よりコンプライアントな、第２プラスチック材料により形成される。また、閉鎖具シール２０９は、閉鎖具支持部２１０と一体的に形成される。閉鎖具２０１を形成する方法では、閉鎖具シール２０９は、二重射出成形により、閉鎖具シール支持部２１０と一体的に形成される。
【０１１１】
図示された例では、閉鎖具シール支持部２１０は、ストッパホルダ２０７の一部である。
【０１１２】
一例では、二重射出成形されたシールは、メインのシールである。また、容器が開かれると、ストッパは、コルクのように発音するか、ポップ音を出すべく、単にそこにある。
【０１１３】
本例では、第１部分２０２は、開いた注ぎ口備品を備える。
【０１１４】
第１例の閉鎖具１０１と第２例の閉鎖具２０１との比較により、次のことが分かる。即ち、閉鎖具シールは、シールであって方向（第１例の閉鎖具１０１では、より多くの軸方向、第２例の閉鎖具２０１では、より多くの半径方向）において、第１部分と第２部分間に装備されるシールを提供可能である。しかして、ここに述べられるように、シールは、異なる閉鎖具群及び異なる閉鎖具のタイプ群間において、異なるように位置決めされるということが、認識されねばならない。
【０１１５】
例えば、少なくとも１つの開封立証システム又は特徴を有する、セキュリティ閉鎖具が、シール支持部と一体的に形成されるシールに設けられても良い。該セキュリティ閉鎖具は、初回の閉鎖具開封時に１つ又はそれ以上の隙間群を生成する、隙間生成システムを有しても良い。該セキュリティ閉鎖具は、さらに「逆向きの回動により破断する」特徴を有しても良い。シール支持部が一体的に形成されるシールが設けられた、セキュリティ閉鎖具は、如何なる代用的な／追加的な開封立証特徴を有しても良い。しかしながら、一体的に形成されるシール及びシール支持部を備えるセキュリティ閉鎖具とは異なる、閉鎖具が、ここに開示されているものと認識されねばならない。
【０１１６】
閉鎖具は、シェル（例えば、一般には管状メタルシェル）を備えても良い。シェルは、初回開封時に、２つの部分群に分離されても良い。２つの部分群とは、例えば、除去可能な頂部キャップと、容器首部に残存する下側スリーブである。該２つの部品群は、初期状態で互いに直ちに隣接し、初回開封時に、これらの間に隙間が形成されるようにしても良い。隙間は、塞がれなくても良い。
【０１１７】
閉鎖具の第２部分は、注ぎ口構成部を備えても良い。該部分は、例えば、スナップオン装備又はロールオン装備により、ボトル首部上に固定されても良い。
【０１１８】
第２部分の内側部分、及び／又は、外側部分は、頂部プレートを含んでも良く、且つ、ロック装備の一部は、頂部プレート上、又は、各頂部プレートにより、担持され得る。ロック装備は、ラチェット装備を含んでも良い。
【０１１９】
一実施の形態では、第２部分の内側部分及び外側部分の両方が、それぞれの頂部プレートを有し、各頂部プレートは、対応するラチェット部であって、係合して部品群の相対的な回動を防止するものを有する。この種のラチェット装備は、側壁群に位置する公知の側壁装備群とは反対に、長手方向ラチェット装備と呼ばれるものであって良い。
【０１２０】
第１部分は、スリーブを備えても良い。ある産業（例えばスピリッツ業）は、容器に接続されるスリーブを備える第１部分と、キャップと第２部分とを備える第２部分とを備える、閉鎖具群を求める。
【０１２１】
閉鎖具は、さらに逆止具のような備品を備えても良い。これに代えて、第２部分は、容器に関する備品と係合するのに適合しても良い。したがって、容器首部を固定する第２部分は、容器首部に、直接に、或いは、間接的に固定され得ることが理解されねばならない。ある産業（特にスピリッツ業）は、偽造を防止する追加の手段群を要求する。逆止備品群のようなインボア備品群は、他の偽造立証手段群の有無を問わず、再充填を防止するために、しばしば容器群に嵌合される。
【０１２２】
内側部分に対して相対的に、第１から第２位置へ第１位置から移動可能な外側部分を有し、且つ、閉鎖具の初回開封時に、隙間を生成する閉鎖具は、外側部分が第２位置に到達するまで、内側部分が、第２部分に対して相対的に移動することを防止する、装備を含んでも良い。隙間は、好ましくは塞がれない。この点は、閉鎖具は、トラップされる邪魔部材に頼る必要がないということを意味する。塞がれない隙間形成に依存すると、単純な切断操作による偽造証拠を打ち負かすことはできない。隙間は、第１部分と第２部分のそれぞれの隣接周辺部群に形成され得る。内側部分は、第２位置において、第２部分へ向けて外側部分を超えて延出する区域を有しても良く、該外側部分は、隙間を介して視認できるように位置決めされ得る。第１部分は、容器上の位置に、永続的に固定されても良い。
このものは、隙間を塞ぐべく第２部分が動かされることを防止するために使用可能である。
【０１２３】
第２部分は、さらに側面ラチェット装備であって、第２位置内に、内側部分及び外側部分をロックするものを含んでも良い。このものは、再セッティングに対する更なる抵抗性を提供する。
【０１２４】
第２部分は、係合機構群を含んでも良く、また、側面ラチェット装備が、該機構群上に装備されても良い。第２部分は、容器又はインボア備品と係合する、ねじ山群のような機構を含んでも良い。そのような場合、ラチェット装備又は他のロック機構が、該機構上に装備されても良く、それにより、該ロック装備を用いて、アクセス及び偽造の困難性が増加するものである。
【０１２５】
閉鎖具は、ストッパ又はコルクを備えても良く、これらは、自然材料又は合成材料により形成されても良い。
【０１２６】
図１７及び図１８は、図９〜図１６を参照しながら上述したように、一体的に形成されるシールとシール支持部とを有する閉鎖具の、第３例及び第４例を示す。
【０１２７】
図１７は、第３例の閉鎖具３０１を示し、それは第１例の閉鎖具１０１に類似する。第１例の閉鎖具１０１と同様に、第３例の閉鎖具３０１は少なくとも一度の開封立証特徴を有する、セキュリティ閉鎖具である。しかしながら、第１例の閉鎖具１０１と異なり、第３例の閉鎖具３０１の第１部分３０２は、逆止具を備える。本特定例では、第１部分３０２は、本体３０３と、本体３０３内に固定されるバルブハウジング３０４と、バルブハウジング３０４内に装備され、バルブシート３０６に対してシールを行い、容器の再充填を防止するフロート弁３０５とを備え、また、弁制御ボール３０７が、フロート弁３０５頂部上に装備される。
【０１２８】
図１８は、第４例の閉鎖具４０１を示し、それは第２例の閉鎖具２０１に類似する。第２例の閉鎖具２０１と同様に、第４例の閉鎖具４０１は少なくとも一つの開封立証特徴を有する、セキュリティ閉鎖具である。しかしながら、第２例の閉鎖具２０１と異なり、第４例の閉鎖具４０１の第１部分４０２は、逆止具を備える。第３例の閉鎖具３０１の逆止具の機能と同様に、第４例の閉鎖具４０１の逆止具は、容器の再充填を防止する。しかしながら、第４例の閉鎖具４０１の逆止具の装備は、第３例の閉鎖具３０１の逆止具の装備とは異なる。
【０１２９】
一体的に形成されるシールとシール支持部とが設けられた閉鎖具には、ここに記述されるように、任意の適切なタイプの流量調節、及び／又は、逆止の、システム／特徴が設けられ得ることが、認識されねばならない。また、ここに記述されるように、一体的に形成されるシールとシール支持部とが設けられた閉鎖具及び逆止システム／特徴は、セキュリティ閉鎖具であってもなくても良いことが認識されねばならない。
【０１３０】
図１９〜図２４は、二重射出成形されたシール及びシール支持部を有する閉鎖具の、第５例を示す。第５例の閉鎖具５０１は、本発明のさらなる態様群を含んでいる。閉鎖具５０１は、第１例の閉鎖具１０１にいくつかの点において類似し、第３例の閉鎖具３０１にいくつかの点において類似する。第５例の閉鎖具５０１は、容器首部５０２に嵌合された状態で示されている。
【０１３１】
閉鎖具５０１は、符号５０３で概略示される第１部分と、符号５０４で概略示される第２部分とを備える。第１部分５０３は、符号５０５で示される、容器首部に固定される本体を備える。第２部分５０４は、符号５０６で示される、キャップであって、本体５０５で解除可能に係合可能なものを備える。キャップ５０６は、本体５０５に対し相対的に移動可能であり、右移動は、閉鎖具５０１の閉鎖状態から、及び、閉鎖状態へのいずれも可能である。
【０１３２】
第１部分５０３は、シール支持部５０８から延出するシール５０７を備える。シール５０７は、容器首部５０２及び内部シール部分５１０に対してシールする外側シール部分５０９を備える。シール支持部５０８は、第１プラスチック材料により形成され、シール５０７は、第１プラスチック材料よりコンプライアントな、第２プラスチック材料により形成される。また、シール５０７は、シール支持部５０８と一体的に形成される。一実施の形態では、シール５０７及びシール支持部５０８は、二重射出成形される。
【０１３３】
第１部分５０３は、逆止弁本体５１１（本例では、バケット）と、逆止弁部５１２（本例では、ボール）とを備える。
【０１３４】
第１部分５０３は、さらに逆止弁シールド５１３を備える。
【０１３５】
本例では、シール支持部５０８は、逆止弁本体５１２の一部である。
【０１３６】
図１９及び図２０から分かるように、逆止弁部シールド５１３は、逆止弁部５１２をシールドし、また、シール５０７の内側シール部５１０に対してシールを行う。
【０１３７】
図示された実施の形態では、特に図２０から分かるように、外側シール部５０９が逆止弁本体５１１の壁５１４から半径方向外向きに延出し、内側シール部５１０が、逆止弁本体５１１の壁５１４から半径方向内向きに延出する。
【０１３８】
閉鎖具５０１が容器首部５０２上に嵌合されると、逆止弁本体５１１の壁５１４は、位置Ａと位置Ｂの間に装備される。位置Ａでは、逆止弁シールド５１３と内部シール部５１０が、シール接触し、位置Ｂでは、外側シール部５０９と容器首部５０２とが、シール接触する。この装備は、図２１において見ることができる。
【０１３９】
ここに記述されるように、二重射出成形されたシールは、メインシール／補足シールとして設けられ得ることが認識されねばならない。ここに記述されるように、シール支持部と一体的に形成されるシールは、閉鎖具の部分群間をシールする、閉鎖シールとしてか、或いは、閉鎖具と容器首部との間をシールする、容器首部シールとして、設けられ得ることが、理解されねばならない。
【０１４０】
一代替例では、シールは、単一のシール部だけを備え、該シール部は、上述したように、内側シール部であっても、外側シール部であっても良い。
【０１４１】
図２１は、逆止弁本体５１１を必須シール５０７と共に形成する、ステップ群を示す。二重ショット射出プロセスが行われる。そのうち、第１ステージ中に、シール５０６の第２の（よりコンプライアントな）材料が、成形ツール内へ射出され、その後、第２ステージ中に、逆止弁本体５１０の第１材料が、該成形ツール内へ射出される。第１材料は、第２材料の周囲にモールドされるものである。
【０１４２】
キャップ５０５の逆止弁シールド５１３は、図２２及び図２３に一層に詳細に示される。一実施の形態では、逆止弁シールド５１３は、比較的堅く、且つ耐突き刺し（ｐｉｅｒｃｅ−ｒｅｓｉｓｔａｎｔ）材料を用いてモールドされる。これは、該部品を攻撃すべく鋭利な器具が用いられても破裂しないようにするためにである。逆止弁シールド５１３は、シール５０７中へネストし、有効な通過シールが形成される。該方法は、ボール、フロート及びフロート座から大きな許容誤差の蓄積を除去する。例えば、ガラス玉は、寸法および真円度について、±０．５ｍｍの産業許容誤差を有する。これはまた、フロート座及びガスレリーズを保護する。加えて、逆止弁シールド５１３の形状は、本体５１５内のプランジャーホール５１７の使用が、逆止弁を破るために使用されることを防止する。該形状は、ドーム状をなす下側部分５１５と、該ドーム状をなす下側部分から直立する拡張部５１６とを有する。さらに、逆止弁シールド５１３は、ワイヤー攻撃から逆止弁を保護する。
【０１４３】
本体５０５は、図２４に一層に詳細に示される。本例では、本体５０５は、抗滴下リップ５１９を提供する上側部分５１８と、本体５０５内に比較的低く装備され、ねじ状５２１を提供し、破断したリング保護具を収納する、中間部分５２０と、本体５０５を容器首部へ固定するために使用される、少なくとも一つのクリップ５２３を提供する下側部分５２２とを、有する。
【０１４４】
ここに開示されるように、シール支持部と一体的に形成されるシールは、容器首部に固定される本体を備える第１部分と、本体に、解除可能に係合できるキャップを含む第２部分とを備える第２部分とを備える閉鎖具において、該第１部分、及び／又は、該第２部分に、組み入れられても良いことが認識されねばならない。
【０１４５】
本発明の一態様では、容器首部のための閉鎖具であって、容器首部に固定される本体を備える第１部分と、本体を容器首部上に保持する保持部材とを備え、本体は第１プラスチック材料により形成され、保持部材は、第１プラスチック材料とは異なる、第２プラスチック材料により形成され、保持部材は、本体と一体的に形成されることを特徴とする閉鎖具が提供される。関連する態様では、閉鎖具を形成する方法が提供される。他の関連する態様では、閉鎖具を備える容器首部を備える容器が提供される。
【０１４６】
図２５〜図２７は、閉鎖具を容器首部に保持する保持部材であって、一体的に形成されるものを備える、閉鎖具に関する、異なる例群を示す。閉鎖具本体は、任意の適切な閉鎖具内で使用され得る。
【０１４７】
図２５では、上側部分６０２及び下側部分６０３を有する本体６０１が示されている。上側部分６０２は、注ぎ口を提供し、下側部分６０３は、本体６０１を容器首部へ固定するのに使用される保持部材６０４を提供する。保持部材６０４は、クリップであっても良い。図示された装備では、本体の下側部分６０３が、半径方向に間隔を開けられた、複数のクリップ群を提供する。本体６０１は第１プラスチック材料により形成され、保持部材６０４は、第１プラスチック材料とは異なる、第２プラスチック材料により形成され、保持部６０４材は、本体６０１と一体的に形成される。
【０１４８】
本体を形成する方法では、本体と保持部材とが二重射出成形される。本体を備える閉鎖具を形成する方法では、本体と保持部材とが二重射出成形される。
【０１４９】
一実施の形態では、第２プラスチック材料は、前記第１プラスチック材料よりも熱抵抗性が高い。一例では、第１プラスチック材料はポリエチレンテレフタレート（ＰＥＴ）であり、第２プラスチック材料は、強化高分子複合材料ファイバーである。
【０１５０】
図２５に示される装備では、上側部分６０２は第１プラスチック材料により形成され、下側部分６０３は第２プラスチック材料により形成される。本体６０１の軸方向について、第１プラスチック材料と第２プラスチック材料との間に接合部が存在する。
【０１５１】
第１プラスチック材料及び第２プラスチック材料は、任意の適切な材料であって良い。一例では、第１プラスチック材料と第２プラスチック材料は、異なる色とされる。
【０１５２】
一例では、第１プラスチック材料は透明又は半透明であり、第２プラスチック材料は不透明である。一例では、より美学的に好ましいプラスチック材料は、閉鎖具が使用されている際、本体のより視認されやすい区域群に使用されても良い。
【０１５３】
図２６では、本体７０１が、上側部分７０２と、下側部分７０３と、少なくとも１つの保持部材７０５を備える中間部分７０４とを有して示されている。
【０１５４】
図２７でも、本体８０１が、上側部分８０２と、下側部分８０３と、少なくとも１つの保持部材８０５を備える中間部分８０４とを有して示されている。
【０１５５】
図２６の本体７０１と図２７の本体８０１とを比較して、本体７０１の装備では、第２プラスチック材料が本体７０１の内側表面の一部を形成し、また、同材料が、本体７０１の外側表面の一部を形成する。一方、本体８０１の装備では、第２プラスチック材料が本体８０１の内側表面の一部を形成するものの、同材料は、本体８０１の外側の一部を形成しない。
【０１５６】
一体的に形成される保持部材を備える本体は、図２５〜図２７に示される装備とは、異なる任意の適切な装備を持ち得ることが認識されねばならない。
【０１５７】
一体的な保持部材を備える本体が、容器首部上にスナップ嵌合可能であっても良い。例えば、本体には、窓群であって、保持クリップ／突起／棚／扉を含むことにより、ビードの下方で、容器首部上に係合してもよい。容器は、ガラスびん（例えば、ウイスキー又はウォッカのようなスピリッツ用ボトル）であっても良い。
【０１５８】
ここに開示されるように、保持部材と一体的に形成される本体を備える閉鎖具は、開封立証の特徴を有していても有していなくとも良く、また、流量調節器／逆止弁を有していても有していなくとも良い。
【０１５９】
本発明の一態様では、容器首部のための閉鎖具であって、シェルと、指示装備とを備え、指示装備は、隙間を閉鎖すべく、閉鎖具に印加された軸方向力に応答して、シェルの側壁に視認可能なマークを設けるべく構成される、閉鎖具が提供される。関連する態様では、閉鎖具が設けられた容器首部を備える容器が提供される。
【０１６０】
図２８は、さらなる例に係る本体９０１と、本体９０１と一体的に形成された保持部材９０２を示す。図２９は、一体的な保持部材９０２を備える本体９０１を形成するステップ群を図示する。二重ショット射出プロセスが行われ、そのうち、第１ステージ中に保持部材９０２がモールドされ、その後、第２ステージ中に本体９０１がモールドされる。本体９０１は、保持部材９０２上にモールドされる。本体はこのように二重射出成形され、インモールドされた保持部材を有する。一例では、保持部材９０２はファイバー充填ポリカーボネート材料により形成され、本体９０１はポリエチレンテレフタレート材料により形成される。
【０１６１】
他の例に係る、本体１００１と本体１００１と一体的に形成された保持部材１００２とが、図３０〜図３２に示される。本体１００１及び保持部材１００２は、二重射出成形される。複数のクリップ群を備える保持部材１００２は、最初にモールドされ、本体１００１は、その保持部材１００２上にモールドされる。
【０１６２】
第６例では、閉鎖具であって二重射出成型されるシールとシール支持部とを有し、容器首部に固定される本体を含む第１部分と、本体に、解除可能に係合できるキャップを含む第２部分とを備え、第１部分はフロートを備え、フロートは、シール支持部上のシールを備え、シール支持部は、第１プラスチック材料により形成され、シールは、第１プラスチック材料よりもコンプライアントな第２プラスチック材料により形成され、シールは、シール支持部と一体的に形成される。
【０１６３】
一体的なシール１１０２を備えるフロート１１０１が、図３３及び図３４に示される。使用時には、下方へ作用する液体の重量が、良好なシールを作成する。フロート１１０１は、液体で充満し、シール１１０２を圧縮する。図示された一例では、フロート１１０１は、その頂部上に、ボールを伴って、又はボールを伴わずに、使用されるように設計されている。一例では、フロート１１０１は、ポリエチレンテレフタレート（ＰＥＴ）により作成される。
【０１６４】
図３５〜３８は、二重射出成形された、シール及びシール支持部を有する、アルミニウム閉鎖具の例群を示す。図３５は１つの「逆止」閉鎖具１２０１を、図３６は１つの「ボール付き逆止」閉鎖具１３０１を、図３７は１つの「オープン注ぎ口」閉鎖具１４０１を、及び図３７は１つの「ボール及びトランシットシール付き」閉鎖具１５０１を、それぞれ示す。
【０１６５】
図３９〜図４２は、二重射出成形されたシール及びシール支持部を有するプラスチック閉鎖具の例群を示す。図３９は「逆止」閉鎖具１６０を、図４０は「オープン注ぎ口」閉鎖具１７０１を、それぞれ示す。図４１は、閉鎖具１８０１及びその構成部品群を示す。一例では、閉鎖具１８０１は、スカート１８０２と、アクリロニトリルブタジエン−スチレン（ＡＢＳ）により形成されたキャップ１８０３と、ポリプロピレン（ＰＰ）をホットナイフで形成された外側ラチェット１８０４とを備える。
図４２は、閉鎖具１８０１及びその構成部品群を示す。部品１９０２及び部品１９０３は、抗回動リブを備えている。バンプオフ（ｂｕｍｐ  ｏｆｆ）−マイクロリブ群は、嵌合アセンブリを押圧するために設けられる。例えば０．１ｍｍ高、０．２２ｍｍ幅のように、マイクロリブ群は小さく、きつい嵌合により部品群を一緒に保持するために使用される。
【０１６６】
図４３〜図４７は、一例に係る閉鎖具ラチェット装備の特徴を示す。閉鎖具ラチェット装備は、次の閉鎖具において使用されるのに適合可能である。即ち、閉鎖具であって、容器首部に固定される本体を含む第１部分と、本体に、解除可能に係合できるキャップを含む第２部分とを備え、キャップは、内側部分と外側部分とを備え、外側部分は、第１位置から第２位置へ内側部分に対して相対的に第１方向に回動可能であり、第１位置では、外側部分の部位が本体の部位に直ちに隣接し、第２位置では、外側部分の部位と本体の部位との間に隙間があり、キャップは、更に、外側部分を第２位置に不可逆的にロックするロック装備を含み、キャップは、更にシェルと、指示装備とを備え、指示装備は、隙間を閉鎖すべく、キャップに印加された軸方向力に応答して、シェルの側壁に視認可能なマークを設けるべく構成される。
【０１６７】
図４３〜図４５は、ラチェット装備の内側部分２００１を示す。また、図４６及び４７は、ラチェット装備の外側部分２１０１を示す。外側部分２１０１は、内側部分２００１に対して相対的に第１位置から第２位置へ回動可能である。第１位置は、（初回の開封に先立ち）閉鎖具が未だ開封されない状態に関連し、第２位置は、（初回の開封に引き続き）閉鎖具が開封された状態に関連する。
【０１６８】
特に図示される装備では、内側部分２００１の外側側壁２００２には、少なくとも１つの側面傾斜２００３が設けられ、また、内側部分２００１の外側頂壁２００４には、少なくとも１つの頂部傾斜２００５が設けられる。また、内側部分２００１の外側側壁２００２には、ラチェット歯２００６が設けられる。図４５から分かるように、内側部分２００１の内側側壁２００７には、ロック歯群２００８が設けられる。本例では、内側部分２００１は、複数の側面傾斜群２００３、複数の頂部傾斜群２００５、複数セットのラチェット歯群２００６、複数のロック歯群２００８を備える。
【０１６９】
図４６及び図４７を参照して、外側部分２１０１の外側側壁２１０２には、少なくとも１つの側面マーキング部材２１０３が設けられ、また、外側部分２１０１の外側頂壁２１０４には、少なくとも１つの頂部マーキング部材２１０５が設けられる。外側部分２１０１の内側頂壁２１０６には、少なくとも１つのリブ２１０７が設けられる。図４７から分かるように、外側部分２１０１の内側側壁２１０８には、ラチェット歯群２１０９が設けられる。本例では、外側部分２１０１は、複数の側面マーキング部材群２１０３、複数の頂部マーキング部材群２１０５、複数のリブ群２１０７及び複数のラチェット歯群２１０９を備える。
【０１７０】
閉鎖具の初回開封中に、外側部分２１０１は回動し、外側部分２１０１のリブ群２１０７は、内側部分２００１の頂部傾斜群２００上へ乗り上がる。外側部分２１０１が第２位置に到達すると、リブ群２１０７及び傾斜群２００５は、閉鎖具を安定に保つのに役立つ。頂部のマーキング部材群２１０５は、機能的にリブ群２１０７に関係する。一例では、１つの頂部マーキング部材２１０５は、リブ１００７に、接続されるか又は一体的である。図示された一例では、各頂部マーキング部材２１０５は、非活性化位置から活性化位置へ旋回可能なフラップとして形成される。非活性化位置では、フラップは、周囲表面と面一であるか、又は、その下にあり、活性化位置では、フラップは、周囲表面よりも上方へ突出する。
【０１７１】
加えて、閉鎖具の初回開封中に、外側部分２１０１が回動して、本体からキャップのねじを緩める。また、外側部分２１０１の側面マーキング部材群２１０３は、内側部分２００１の側面傾斜群２００３に乗り上げ、側面傾斜群２００３に対して相対的に正の（ｐｏｓｉｔｉｖｅ）位置へ移動する。その後、側面マーキング部材群２１０３は、第２位置から、内側部分２００１に対して相対的な外側部分２１０１のカウンター的な回動に抵抗する。それぞれのラチェット歯２００６及び２１０９の係合によって内側部分２００１に対する外側部分２１０１のカウンター的な回動も抵抗を受けることが認識されねばならない。
【０１７２】
図示された一例では、各側面マーキング部材２１０３は、外側部分２１０１の側面と頂部の角部に形成され、周囲表面から内側に延び、それにより、側面マーキング部材２１０３は、底壁面を有することになる。
【０１７３】
側面マーキング部材２１０３は、活性化傾斜２００９が配置される位置にある、側面傾斜群２００３に対して相対的に正となるように（ｐｏｓｉｔｉｖｅｌｙ）位置する。図示された例では、活性化傾斜２００９は、周囲表面から半径方向外向きに突出する棚（ｌｅｄｇｅ）を提供し、それにより、活性化傾斜２００９は、頂部壁面を有することとなる。側面マーキング部材２１０３が正に配置されると、側面マーキング部材２１０３の底壁面は、活性化傾斜２００９の頂部壁面上にあることになる。
【０１７４】
閉鎖具の軸方向において、閉鎖具の頂部に十分な力を加えることにより、閉鎖具の初回開封中に生成された隙間を塞ぐ試みがなされると、頂部マーキング部材群２１０５が活性化される。内部に外側部分２１０１が配置されるシェル部分が下方へ押されるにつれて、リブ群２１０７が上方へ押され、また、頂部マーキング部材群２１０５は、シェルの頂部をマークすることになる。
【０１７５】
さらに、閉鎖具の頂部がハンマーで打たれると、側面マーキング部材群２１０５が、半径方向に飛び出す結果となり、シェルの側面をマークする。
【０１７６】
発明の本態様は、本発明の他の態様／態様群と別々に使用され得るものであるし、又は、他の態様群／本発明の態様群と組み合わせて使用され得るものである。さらに、ここに記述されるように、本発明の態様による閉鎖具の、第１部分／第２部分は、第１部分又は発明の態様による閉鎖具の２番目の部分が、後に閉鎖具内に含めるための、別々の要素として供給されても良いことが認識されねばならない。
【０１７７】
図４８は、二重隙間を生成する閉鎖具２２０１であって、移動可能な蓋２２０２を有するものを、開封し、また再度閉鎖するステップ群を示す。Ａでは、初回開封前の閉鎖具２２０１が示される。Ｂでは、初回開封中の閉鎖具２２０１が示されており、蓋２２０２が回動したあと、第１隙間Ｇ１が生成される。Ｃでは、初回開封中の後期における、閉鎖具２２０１が示されており、蓋２２０２がさらに回動したあと、第２隙間Ｇ２が生成されている。蓋２２０２は、Ｄでは図示が省略される。Ｅでは、蓋２２０２が交換された状態が示されるが、また、第１隙間Ｇ１及び第２隙間Ｇ２とが、依然として存在しているのが見て取れる。
【０１７８】
側面マーク機構を備えた閉鎖具ラチェット装備の特徴が、図４９〜図５１に示される。図４９は、端部２４０４への衝撃力の印加に先立ち、内側ラチェット２３０１、外側ラチェット２３０２、内側ラチェット２３０１の傾斜２３０３、及び外側ラチェット２３０２の端部２３０４とからなる、相対的な装備を示す。高い衝撃力が外側ラチェット２３０２の端部２３０４に印加されると、図５０に図示されるように、端部２３０４が内側ラチェット２３０１の傾斜２３０３上に強制移動させられる。その結果、図５１に示されるように、隆起２４０１が閉鎖具シェル２４０３の側壁２４０２内に形成され、偽造の視覚的表示が提供されることとなる。
【０１７９】
図５２は、側面マーク生成機構を備えた、閉鎖具ラチェット装備の内側ラチェット２５０１を示し、該内側ラチェット２５０１は、内側ラチェットの抗偽造ブリッジ群２５０２を備える。
【０１８０】
図５３〜図６０は、閉鎖具の異なるバージョンにおいて使用可能な個々の構成部群を示す。図５３は、本体２６０１を示す。図５４は、インモールドされた保持クリップ群２７０１を備える本体２７０２を示す。図５５は、アルミニウムシェル２８０１を示す。図５６は、バケット２９０１を示し、このものは、低密度ポリエチレン（ＬＤＰＥ）により形成され得る。図５７は、二重射出成形されたシール３００２を備えたフロート３００１を示す。図５８は、城風の下エッジ３１０２を備えた内側ラチェット構成部３１０１を示す。また、図５９及び図６０は、外側ラチェット構成部３２０１を示す。図５９では、内側ラチェット構成部３１０１に、外側ラチェット構成部３２０１を内側ラチェット構成部３１０１にロックするリブ群３２０２が設けられていることが、分かる。図６０から分かるように、外側ラチェット構成部３２０１には、ホットナイフで形成されたブリッジ群３２０３が設けられる。外側ラチェット構成部３２０１は、ビードを特徴としても良い。
【０１８１】
添付図面群を参照しながら、ここでは本発明の図示された実施の形態群が詳細に開示された。本発明は、図示された実施の形態群そのものに限定されるものではなく、各従属項群により定義される本発明の保護範囲を離れることなく、当業者によって、様々な変更や改変がなされ得るものであることが、理解されよう。
【図面の簡単な説明】
【０１８２】
【図１】図１は、従来の閉鎖具の断面図であり、第１の、未だ開封されていない状態にある閉鎖具が、容器首部とともに図示される。
【図２】図２は、容器首部への取り付けに先立つ、図１の従来の閉鎖具の側面図である。
【図３】図３は、第１開封ステージ後の、図１の従来の閉鎖具を示す。
【図４】図４は、第１開封ステージ後の、図２の従来の閉鎖具を示す。
【図５】図５は、第２開封ステージ後の、図４の従来の閉鎖具を示す。
【図６】図６は、頂部キャップが再嵌合された後の、図５の従来の閉鎖具を示す。
【図７】図７は、逆に開く試みに続く、図１の従来の閉鎖具を示す。
【図８】図８は、図７の従来の閉鎖具の斜視図である。
【図９】図９は、閉鎖具シール支持部が一体的に形成された閉鎖具シールを備える閉鎖具の第１例を示す。
【図１０】図１０は、閉鎖具シール支持部が一体的に形成された閉鎖具シールを備える閉鎖具の第１例を示す。
【図１１】図１１は、閉鎖具シール支持部が一体的に形成された閉鎖具シールを備える閉鎖具の第１例を示す。
【図１２】図１２は、閉鎖具シール支持部が一体的に形成された閉鎖具シールを備える閉鎖具の第１例を示す。
【図１３】図１３は、閉鎖具シール支持部が一体的に形成された閉鎖具シールを備える閉鎖具の第２例を示す。
【図１４】図１４は、閉鎖具シール支持部が一体的に形成された閉鎖具シールを備える閉鎖具の第２例を示す。
【図１５】図１５は、閉鎖具シール支持部が一体的に形成された閉鎖具シールを備える閉鎖具の第２例を示す。
【図１６】図１６は、閉鎖具シール支持部が一体的に形成された閉鎖具シールを備える閉鎖具の第２例を示す。
【図１７】図１７は、二重射出成形されたシール及びシール支持部を有する閉鎖具の第３例及び第４例を示す。
【図１８】図１８は、二重射出成形されたシール及びシール支持部を有する閉鎖具の第３例及び第４例を示す。
【図１９】図１９は、二重射出成形されたシール及びシール支持部を有する閉鎖具の第５例を示す。
【図２０】図２０は、二重射出成形されたシール及びシール支持部を有する閉鎖具の第５例を示す。
【図２１】図２１は、二重射出成形されたシール及びシール支持部を有する閉鎖具の第５例を示す。
【図２２】図２２は、二重射出成形されたシール及びシール支持部を有する閉鎖具の第５例を示す。
【図２３】図２３は、二重射出成形されたシール及びシール支持部を有する閉鎖具の第５例を示す。
【図２４】図２４は、二重射出成形されたシール及びシール支持部を有する閉鎖具の第５例を示す。
【図２５】図２５は、容器首部に固定される閉鎖具本体と本体と一体的に形成された保持部材の例群を示す。
【図２６】図２６は、容器首部に固定される閉鎖具本体と本体と一体的に形成された保持部材の例群を示す。
【図２７】図２７は、容器首部に固定される閉鎖具本体と本体と一体的に形成された保持部材の例群を示す。
【図２８】図２８は、容器首部に固定される閉鎖具本体と本体と一体的に形成された保持部材の更なる例を示す。
【図２９】図２９は、図２８の一体的な保持する部材を備えた本体を二重射出成形する方法におけるステップ群を示す。
【図３０】図３０は、本体と、本体に一体的に形成される保持部材の他の例の特徴を示す。
【図３１】図３１は、本体と、本体に一体的に形成される保持部材の他の例の特徴を示す。
【図３２】図３２は、本体と、本体に一体的に形成される保持部材の他の例の特徴を示す。
【図３３】図３３は、シール支持部に一体的に形成されるシールを有する閉鎖具の第６例の特徴を示す。
【図３４】図３４は、シール支持部に一体的に形成されるシールを有する閉鎖具の第６例の特徴を示す。
【図３５】図３５は、二重射出成形されたシール及びシール支持部を有するアルミニウム閉鎖具の例群を示す。
【図３６】図３６は、二重射出成形されたシール及びシール支持部を有するアルミニウム閉鎖具の例群を示す。
【図３７】図３７は、二重射出成形されたシール及びシール支持部を有するアルミニウム閉鎖具の例群を示す。
【図３８】図３８は、二重射出成形されたシール及びシール支持部を有するアルミニウム閉鎖具の例群を示す。
【図３９】図３９は、二重射出成形されたシール及びシール支持部を有するプラスチック閉鎖具の例群を示す。
【図４０】図４０は、二重射出成形されたシール及びシール支持部を有するプラスチック閉鎖具の例群を示す。
【図４１】図４１は、二重射出成形されたシール及びシール支持部を有するプラスチック閉鎖具の例群を示す。
【図４２】図４２は、二重射出成形されたシール及びシール支持部を有するプラスチック閉鎖具の例群を示す。
【図４３】図４３は、一例に係る閉鎖具ラチェット装備の特徴を示す。
【図４４】図４４は、一例に係る閉鎖具ラチェット装備の特徴を示す。
【図４５】図４５は、一例に係る閉鎖具ラチェット装備の特徴を示す。
【図４６】図４６は、一例に係る閉鎖具ラチェット装備の特徴を示す。
【図４７】図４７は、一例に係る閉鎖具ラチェット装備の特徴を示す。
【図４８】図４８は、二重隙間生成閉鎖具を、開き再び閉鎖するステップ群を示す。
【図４９】図４９は、側面マーク機構を備えた閉鎖具ラチェット装備の特徴を示す。
【図５０】図５０は、側面マーク機構を備えた閉鎖具ラチェット装備の特徴を示す。
【図５１】図５１は、側面マーク機構を備えた閉鎖具ラチェット装備の特徴を示す。
【図５２】図５２は、側面マーク生成機構を備えた閉鎖具ラチェット装備の内側ラチェットを示す。
【図５３】図５３は、閉鎖具の異なるバージョンにおいて使用可能な個々の構成部群を示す。
【図５４】図５４は、閉鎖具の異なるバージョンにおいて使用可能な個々の構成部群を示す。
【図５５】図５５は、閉鎖具の異なるバージョンにおいて使用可能な個々の構成部群を示す。
【図５６】図５６は、閉鎖具の異なるバージョンにおいて使用可能な個々の構成部群を示す。
【図５７】図５７は、閉鎖具の異なるバージョンにおいて使用可能な個々の構成部群を示す。
【図５８】図５８は、閉鎖具の異なるバージョンにおいて使用可能な個々の構成部群を示す。
【図５９】図５９は、閉鎖具の異なるバージョンにおいて使用可能な個々の構成部群を示す。
【図６０】図６０は、閉鎖具の異なるバージョンにおいて使用可能な個々の構成部群を示す。
【図１】
0006609049.tif 000002
【図２】
0006609049.tif 000003
【図３】
0006609049.tif 000004
【図４】
0006609049.tif 000005
【図５】
0006609049.tif 000006
【図６】
0006609049.tif 000007
【図７】
0006609049.tif 000008
【図８】
0006609049.tif 000009
【図９】
0006609049.tif 000010
【図１０】
0006609049.tif 000011
【図１１】
0006609049.tif 000012
【図１２】
0006609049.tif 000013
【図１３】
0006609049.tif 000014
【図１４】
0006609049.tif 000015
【図１５】
0006609049.tif 000016
【図１６】
0006609049.tif 000017
【図１７】
0006609049.tif 000018
【図１８】
0006609049.tif 000019
【図１９】
0006609049.tif 000020
【図２０】
0006609049.tif 000021
【図２１】
0006609049.tif 000022
【図２２】
0006609049.tif 000023
【図２３】
0006609049.tif 000024
【図２４】
0006609049.tif 000025
【図２５】
0006609049.tif 000026
【図２６】
0006609049.tif 000027
【図２７】
0006609049.tif 000028
【図２８】
0006609049.tif 000029
【図２９】
0006609049.tif 000030
【図３０】
0006609049.tif 000031
【図３１】
0006609049.tif 000032
【図３２】
0006609049.tif 000033
【図３３】
0006609049.tif 000034
【図３４】
0006609049.tif 000035
【図３５】
0006609049.tif 000036
【図３６】
0006609049.tif 000037
【図３７】
0006609049.tif 000038
【図３８】
0006609049.tif 000039
【図３９】
0006609049.tif 000040
【図４０】
0006609049.tif 000041
【図４１】
0006609049.tif 000042
【図４２】
0006609049.tif 000043
【図４３】
0006609049.tif 000044
【図４４】
0006609049.tif 000045
【図４５】
0006609049.tif 000046
【図４６】
0006609049.tif 000047
【図４７】
0006609049.tif 000048
【図４８】
0006609049.tif 000049
【図４９】
0006609049.tif 000050
【図５０】
0006609049.tif 000051
【図５１】
0006609049.tif 000052
【図５２】
0006609049.tif 000053
【図５３】
0006609049.tif 000054
【図５４】
0006609049.tif 000055
【図５５】
0006609049.tif 000056
【図５６】
0006609049.tif 000057
【図５７】
0006609049.tif 000058
【図５８−５９】
0006609049.tif 000059
【図６０】
0006609049.tif 000060